(57)【特許請求の範囲】
【請求項１】
熱交換器または電気ヒータ、および温風を送風する送風機を有する本体を具備し、前記本体は前記熱交換器の熱媒体を流す配管を接続するジョイント手段を有し、前記ジョイント手段は回動自在である浴室乾燥機であって、前記本体を構成するハウジング部材のうち、このハウジング部材の左右側板を形成する第1の部材の前記左右の側板のそれぞれの下端部に切欠を設け、前記第1の部材の下端部に取り付けられる底板の一方の側端部に前記左右の側板の切欠に対応して切欠を設け、前記ジョイント手段の向きに応じて前記第1の部材の左右いずれかの切欠に第２の部材をネジ止めするとともに、前記底板の切欠に第３の部材をネジ止めして、前記第２の部材と前記第３の部材を結合することにより熱媒体の配管取り出し口を形成することを特徴とする浴室乾燥機。
【請求項２】
底板のもう一方の側端部に第１の部材の切欠を覆う配管取出口カバー部を設けた請求項１記載の浴室乾燥機。
【発明の詳細な説明】
【０００１】
【発明の属する技術分野】
本発明は、浴室や、脱衣室、洗面所、あるいはトイレなどのいわゆるサニタリーゾーンを利用して洗濯物を乾燥したり、暖房や換気などを行う浴室乾燥機に関する。なお、本明細書記載の全てにおいて、浴室、脱衣室、洗面所、あるいはトイレなどのサニタリーゾーンを一括して浴室と総称する。したがって、浴室乾燥機とは浴室はもちろん、脱衣室、洗面所、トイレなどのサニタリーゾーンで使用される全ての乾燥機を意味する。
【０００２】
【従来の技術】
洗濯物を乾燥させる場合、通常屋外に干して天日で乾燥させるが、雨天など天候が悪い場合は屋外で乾燥させることができないため、屋内で自然乾燥させたり、電気やガスによる衣類乾燥機で乾燥させたり、浴室乾燥機を設置して浴室で乾燥させることが行われている。
【０００３】
浴室乾燥機は、本体部を浴室の天井裏に埋め込んだり外壁面に設置して、浴室内に温風を吹き込むとともに、湿った空気を外部に放出して衣類を乾燥させている。また、この温風を利用して冬季に浴室内を暖房することも行われている。
【０００４】
従来の浴室乾燥機として、例えば特開平８−１１０１５９号、特開平９−７９２号公報に記載されたものが知られている。この従来の浴室乾燥機は、浴室の壁部に取り付ける構成で、浴室の壁部を貫通する開口に浴室内と連通する吸込口および吹出口が配されるように取り付け板を外壁面に固定し、この取り付け板に送風機の吹き出し空気を熱交換器を介して浴室内の吹出口に導くための本体を取り付け、浴室内に化粧パネルを設けるように構成されている。
【０００５】
また、天井裏に設置されるものは、熱交換器と循環用送風機および換気用送風機を設けた本体を浴室の天井裏に設け、室外と連通するダクトを換気用送風機に連結し、浴室天井部の開口に吸込口および吹出口を形成しているものであった。
【０００６】
【発明が解決しようとする課題】
これらの従来の浴室乾燥機はいずれも浴室の側壁設置専用又は天井裏設置専用の構成をしており、浴室の構造によっては設置できない場合がある。また、設置作業も高所作業が必要であったり、天井裏に入り込んで作業する必要があった。
【０００７】
本発明は、このような課題を解決するもので、浴室の側壁および天井裏のいずれにも設置可能であり、高所作業や天井裏での作業を極力減らすことが可能な浴室乾燥機を提供することを目的とするものである。
【０００８】
【課題を解決するための手段】
本発明の浴室乾燥機は、上記課題を解決するために、熱交換器または電気ヒータ、および温風を送風する送風機を有する有する本体を具備した浴室乾燥機において、前記本体は前記熱交換器の熱媒体を流す配管を接続するジョイント手段を有し、前記ジョイント手段を回動自在としたものである。
【０００９】
また他の手段は、上記構成において、ジョイント手段は中空管によるオス部材とメス部材をＯリングを介してはめ込み結合したものである。
【００１０】
また他の手段は、上記各構成において、前記本体を構成するハウジング部材のうち、このハウジング部材の左右側板を形成する第1の部材の前記左右の側板のそれぞれの下端部に切欠を設け、前記第1の部材の下端部に取り付けられる底板の一方の側端部に前記左右の側板の切欠に対応して切欠を設け、前記ジョイント手段の向きに応じて前記第1の部材の左右いずれかの切欠に第２の部材をネジ止めするとともに、前記底板の切欠に第３の部材をネジ止めして、前記第２の部材と前記第３の部材を結合することにより熱媒体の配管取り出し口を形成するものである。
【００１１】
また他の手段は、上記各構成において、前記本体の遮蔽板と底板の間に形成される配管接続空間に少なくとも熱媒体配管を配置したものである。
【００１２】
また他の手段は、熱交換器または電気ヒータ、および温風を送風する送風機を有する本体を具備した浴室乾燥機において、前記固定板の複数箇所に断面コ字型のベース部を有する設置金具を取り付け、前記設置金具のベース部をたる木に固定して前記本体を天井裏に設置するものである。
【００１３】
また他の手段は、熱交換器または電気ヒータ、および温風を送風する送風機を有する本体を具備した浴室乾燥機において、前記固定板の複数箇所に断面コ字型のベース部を有する設置金具を取り付け、前記設置金具のベース部に形成した穴に全ネジ棒を挿通し、前記ベース部を挟んで上下をワッシャーを介してナットで締め付け固定して前記本体を天井裏に設置するものである。
【００１４】
また他の手段は、熱交換器または電気ヒータ、および温風を送風する送風機を有する本体を具備した浴室乾燥機において、前記固定板の一辺部に角穴部、前記角穴部を設けた一辺部に対向する辺にネジ穴Ａを形成し、前記第１の部材の前記角穴部に対応する位置に爪部を形成し、前記爪部を前記角穴部に挿入し、前記底板に前記ネジ穴Ａに係合する位置に設けられたネジ穴Ｂと前記ネジ穴Ａを合わせネジ止めするものである。
【００１５】
また他の手段は、熱交換器または電気ヒータ、および温風を送風する送風機を有する本体を具備した浴室乾燥機において、前記固定板に長方形状の枠部とこの枠部を延長したリング状部を有するとともに、前記リング状部にシール材が形成されたダクトスペーサをはめ込み、前記ダクトスペーサのリング状部および前記固定板折り返し部を利用してダクトの先端部を挟持するものである。
【００１６】
また他の手段は、上記構成において、前記固定板折り返し部に絶縁物による樹脂枠を配置したものである。
【００１７】
また他の手段は、熱交換器または電気ヒータ、および温風を送風する送風機を有する本体を具備した浴室乾燥機において、前記本体を構成する前記第１の部材に雨樋部が設けられ、前記雨樋部の両端と前記第１の部材の隙間にスペーサをはめ込むものである。
【００１８】
また他の手段は、熱交換器または電気ヒータ、および温風を送風する送風機を有する本体を具備した浴室乾燥機において、前記本体にブレーカカバーが設けられ、前記ブレーカカバー内にブレーカが配されたものである。
【００１９】
また他の手段は、上記構成において、前記ブレーカカバー内にネジボスが設けられ、前記ブレーカの代わりに電気配線のコネクタが配され、前記コネクタのコードが前記ネジボスに固定されたものである。
【００２０】
また他の手段は、熱交換器または電気ヒータ、および温風を送風する送風機を有する本体を具備した浴室乾燥機において、前記熱交換器および送風機などを支持する内部フレームと外装パネルの間に隙間を設け、前記隙間内に前記固定板の切り起こし部を挿入して固定するものである。
【００２１】
また他の手段は、熱交換器または電気ヒータ、および温風を送風する送風機を有する本体を具備した浴室乾燥機において、前記内部フレームにドレンパンが設けられており、前記ドレンパンは開口部と、前記開口部を囲む第１の連続凸部を有するとともに、前記ドレンパンの周辺部に第２の連続凸部が形成されているものである。
【００２２】
また他の手段は、熱交換器または電気ヒータ、および温風を送風する送風機を有する本体を具備した浴室乾燥機において、前記グリル内側の面の吸込口側に空気中の塵埃を吸着させるフィルターが設けられ、前記フィルターはフィルター枠内に着脱自在に収められ、前記グリルと一体で取り外し可能であるものである。
【００２３】
また他の手段は、上記構成において、前記グリルは浴室壁面または天井面に前記グリルを取り付けるためのグリル取り付け板を有しており、前記グリルは前記グリル取り付け板に着脱自在に取り付けられており、前記グリル取り付け板の取り付け面側には、ネジ穴より内側に連続して一周する溝が設けられ、前記溝にコーキング材を挿入して浴室壁面または天井面に取り付けたものである。
【００２４】
また他の手段は、上記構成において、前記グリルは風向ルーバーを有しており、前記風向ルーバーは下向きにしたときその先端が前記グリルの前面壁の外面に一致する長さとしたものである。
【００２５】
【発明の実施の形態】
本発明の浴室乾燥機は、熱交換器または電気ヒータ、および温風を送風する送風機を有する本体を具備した浴室乾燥機において、前記本体は前記熱交換器の熱媒体を流す配管を接続するジョイント手段を有し、前記ジョイント手段を回動自在としたものであり、ジョイント手段を回動させることにより熱媒体配管を本体のいずれの方向にも取り出し可能にするという作用を有する。
【００２６】
また他の手段は、上記構成において、ジョイント手段は中空管のオス部材とメス部材をＯリングを介してはめ込み結合したので、ジョイントの結合をワンタッチで行うことができるという作用を有する。
【００２７】
また他の手段は、上記各構成において、前記本体を構成するハウジング部材のうち、このハウジング部材の左右側板を形成する第1の部材の前記左右の側板のそれぞれの下端部に切欠を設け、前記第1の部材の下端部に取り付けられる底板の一方の側端部に前記左右の側板の切欠に対応して切欠を設け、前記ジョイント手段の向きに応じて前記第1の部材の左右いずれかの切欠に第２の部材をネジ止めするとともに、前記底板の切欠に第３の部材をネジ止めして、前記第２の部材と前記第３の部材を結合することにより熱媒体の配管取り出し口を形成することにより、底板を左右反転させるだけで、熱媒体配管を左右いずれからでも取り出すことができるという作用を有する。
【００２８】
また他の手段は、上記各構成において、前記本体の遮蔽板と底板の間に形成される配管接続空間に少なくとも熱媒体配管を配置したことにより、底板をはずすだけで大きなスペースを確保することができるので、配管や配線の施工が簡単になり、また、配管を内部に確実に隠蔽することができるという作用を有する。
【００２９】
また他の手段は、熱交換器または電気ヒータ、および温風を送風する送風機を有する本体を具備した浴室乾燥機において、前記固定板の複数箇所に断面コ字型のベース部を有する設置金具を取り付け、前記設置金具のベース部をたる木に固定して前記本体を天井裏に設置することにより、たる木を利用して本体を天井裏に簡単に設置することができるという作用を有する。
【００３０】
また他の手段は、熱交換器または電気ヒータ、および温風を送風する送風機を有する本体を具備した浴室乾燥機において、前記固定板の複数箇所に断面コ字型のベース部を有する設置金具を取り付け、前記設置金具のベース部に形成した全ネジ棒を挿通し、前記ベース部を全ネジ棒にナットで固定して前記本体を天井裏に設置することにより、一つの設置金具をたる木を利用した場合と全ネジ棒を利用した場合の２通りの使い方に使用でき、どちらの場合も簡単に本体を設置することができるという作用を有する。
【００３１】
また他の手段は、熱交換器または電気ヒータ、および温風を送風する送風機を有する本体を具備した浴室乾燥機において、前記固定板の一辺部に角穴部、前記角穴部を設けた一辺部に対向する辺にネジ穴Ａを形成し、前記第１の部材の前記角穴部に対応する位置に爪部を形成し、前記爪部を前記角穴部に挿入し、前記底板に前記ネジ穴Ａに係合する位置に設けられたネジ穴Ｂと前記ネジ穴Ａを合わせネジ止めすることにより、角穴に爪部を挿入してネジ１本で固定することができるので、天井裏などに登らずとも点検口などから簡単に施工することができるという作用を有する。
【００３２】
また他の手段は、熱交換器または電気ヒータ、および温風を送風する送風機を有する本体を具備した浴室乾燥機において、前記固定板に長方形状の枠部とこの枠部を延長したリング状部を有するとともに、前記リング状部にシール材が形成されたダクトスペーサをはめ込み、前記ダクトスペーサのリング状部および前記固定板折り返し部を利用してダクトの先端部を挟持することにより、ダクトの取り付けがコーキングなしで簡単に行うことができるという作用を有する。
【００３３】
また他の手段は、上記構成において、前記固定板折り返し部に絶縁物による樹脂枠を配置したことにより、木枠なしで壁貫通工事を行うことができるという作用を有する。
【００３４】
また他の手段は、熱交換器または電気ヒータ、および温風を送風する送風機を有する本体を具備した浴室乾燥機において、前記本体を構成する前記第１の部材に雨樋部が設けられ、前記雨樋部の両端と前記第１の部材の隙間にスペーサをはめ込むことにより、雨水処理部の部品加工における板金加工も簡単になり、施工も簡単になるという作用を有する。
【００３５】
また他の手段は、熱交換器または電気ヒータ、および温風を送風する送風機を有する本体を具備した浴室乾燥機において、前記本体にブレーカカバーが設けられ、前記ブレーカカバー内にブレーカを配したことにより、ブレーカに雨水が当たったり結露するのを防止することができ、また、熱媒体配管がブレーカに接触するのを防止することができるという作用を有する。
【００３６】
また他の手段は、上記構成において、前記ブレーカカバー内にネジボスが設けられ、前記ブレーカの代わりに電気配線のコネクタが配され、前記コネクタのコードを前記ネジボスに固定したことにより、コネクタのコードがブレーカカバー内で確実に固定され、コネクタのコードが下部に落下して水滴に触れることにより生ずる絶縁不良を防止することができるという作用を有する。
【００３７】
また他の手段は、熱交換器または電気ヒータ、および温風を送風する送風機を有する本体を具備した浴室乾燥機において、前記熱交換器および送風機などを支持する内部フレームと外装パネルの間に隙間を設け、前記隙間内に前記固定板の切り起こし部を挿入して固定することにより、前記固定板を外装パネルの内部に収納することができるので、美観が向上するとともに、屋外配置時における雨水の侵入を防止することができるという作用を有する。
【００３８】
また他の手段は、熱交換器または電気ヒータ、および温風を送風する送風機を有する本体を具備した浴室乾燥機において、前記内部フレームにドレンパンが設けられており、前記ドレンパンは開口部と、前記開口部を囲む第１の連続凸部を有するとともに、前記ドレンパンの周辺部に第２の連続凸部を形成したことにより、天井裏設置時に部品点数を削減することができるとともに、浴室からの湿気に起因する水滴をドレンパンに集めて、本体や天井裏を水滴から保護することができるという作用を有する。
【００３９】
また他の手段は、熱交換器または電気ヒータ、および温風を送風する送風機を有する本体を具備した浴室乾燥機において、前記グリル内側の面の吸込口側に空気中の塵埃を吸着させるフィルターが設けられ、前記フィルターはフィルター枠内に着脱自在に収められ、前記グリルと一体で取り外し可能としたことにより、グリルとフィルターを一体になって取り外すことができるので、フィルターの清掃や丸洗い、交換などのメンテナンス作業を手元で行うことができるという作用を有する。
【００４０】
また他の手段は、上記構成において、前記グリルは浴室壁面または天井面に前記グリルを取り付けるためのグリル取り付け板を有しており、前記グリルは前記グリル取り付け板に着脱自在に取り付けられており、前記グリル取り付け板の取り付け面側には、ネジ穴より内側に連続して一周する溝が設けられ、前記溝にコーキング材を挿入して浴室壁面または天井面に取り付けることにより、浴室内の湿気や水が天井裏や壁面裏側の空間に漏れることがないという作用を有する。
【００４１】
また他の手段は、上記構成において、前記グリルは風向ルーバーを有しており、前記風向ルーバーは下向きにしたときその先端が前記グリルの前面壁の外面に一致する長さとしたことにより、温風は風向ルーバーの方向に沿って下方に向かい、床面に温風が到達しやすくなるという作用を有する。
【００４２】
以下本発明の実施の形態について、図面とともに詳細に説明する。
【００４３】
図１は本発明による浴室乾燥機の全体構成を示す斜視図である。本体１１は内部に送風機、熱交換器およびそれらの制御部が収納されている。（図３（ａ）参照）これらの浴室乾燥機を機能させる構成要素の詳細は、特開平８−１１０１５９号、特開平９−７９２号公報などにより公知であるので、詳細な説明は省略する。本体１１の室内側には固定板１２が設けられ、この固定板１２により浴室の外側壁や天井裏に本体１１が固定される。固定板１２には、吹出口１６および吸込口１７となる開口１２０（図２に示す）が形成され、この開口１２０に吹出ダクト１３および吸込ダクト１４が連結される。詳細は後述する。
【００４４】
これらの吹出ダクト１３および吸込ダクト１４は、浴室乾燥機が浴室の側壁に取り付けられる場合は外壁と浴室内を連通する開口内を、浴室乾燥機が天井裏に取り付けられる場合は天井に形成した開口内を貫通して配される。吹出ダクト１３は浴室側ではグリル１５の吹出口１６に連通し、吸込ダクト１４はグリル１５の吸込口１７に連通する。グリル１５は浴室の壁面又は天井面に設けられたグリル取り付け板に着脱自在に取り付けられる。詳細は後述する。
【００４５】
また、グリル１５の表面には、リモコンにより浴室乾燥機の操作を制御するための受信部１８が設けられている。本体１１の側面には、本体１１から熱媒体配管を外部に取り出すための配管取り出し口１９が設けられている。詳細は後述する。
【００４６】
図３（ａ）は本体１１の内部構造の配管部側の斜視図である。遮蔽板２１上に送風機２２が設けられ、下面にはブレーカカバー２３で覆われたブレーカ２４が取り付けられる。詳細は後述する。
【００４７】
また、送風機２２の横に熱交換器２５が設けられている。熱交換器２５には水を供給するための入口管である熱動弁２６および熱媒体の出口管２７がそれぞれジョイント部２８、２９により回動可能に取り付けられている。これらジョイント手段の構成は後述する。
【００４８】
なお、熱交換器２５は、水の代わりに冷媒ガスを使用したガス式の熱交換器も使用可能である。この場合は、熱動弁２６および出口管２７には水の代わりにガスが流される。
【００４９】
なお、熱交換器２５の代わりに電気ヒータを使用することも可能である。
【００５０】
図３（ｂ）および図３（ｃ）にジョイント手段の詳細を示す。ジョイント部２８、２９は中空管によるオス部材２８１をＯリング２８３を介して中空管によるメス部材２８２にはめ込みクリップ２８４で挟んで構成される。オス部材２８１およびメス部材２８２はＯリング２８３を介したはめ込みで連結しているので、互いにその軸を中心に自由に回動する。したがって、オス部材２８１およびメス部材２８２にそれぞれ熱動弁２６、出口管２７の管部材２８５、２８６をはめ込むことによりワンタッチで回動自在に連結され、配管取り出し口１９より外方に取り出される。
【００５１】
また、熱動弁２６のジョイント部２８は軸が本体の上下方向に伸びる方向に設けられているので、熱動弁２６はその上下方向に伸びる軸を中心にしてに垂直な面内に回動可能であり、給水用の配管を本体１１の左右いずれの方向からでも接続することができる。
【００５２】
一方、出口管２７のジョイント部２９は、軸がダクトの長さ方向に伸びる方向に設けられているので、出口管２７はその軸を中心にして本体の上下方向に回動可能であり、排水用の配管を本体１１の左右いずれの方向にも接続することができる。
【００５３】
図１および図４に示すように、本体を構成するハウジング部材は、固定板１２と、配管取り出し口としての切欠３１を有する第１の部材４５および底板３４と、前記第１の部材４５および底板３４の切欠３４２にネジ止めされる第２の部材３２および第３の部材３４３と、背面板４６から成っている。
【００５４】
そして、底板３４の切欠３４２に半リング状の第３の部材３４３をネジ止めし、ジョイント手段の向きに応じて、第１の部材４５の左右いずれかの切欠３１に半リング状の第２の部材３２をネジ止めする。そして、半リング状の第２の部材３２と半リング状の第３の部材３４３を結合することにより、リング状の配管取り出し口１９を形成する。
【００５５】
また、底板３４の切欠３４２と左右反対側には配管取出口カバー部３４１が設けられている。そして、配管取り出し口１９とならない方は、第１の部材４５の切欠３１を配管取出口カバー部３４１で覆い、配管取り出し口１９は構成されない。
【００５６】
このように、底板３４を左右反転して取り付け、第２の部材３２を第１の部材４５の反対側の切欠３１に取り付けることにより、配管取り出し口１９は本体の左右どちら側にも形成できるので、熱動弁２６および出口管２７の左右調整と合わせて、水配管を本体１１の左右いずれの方向からでも接続することができる。
【００５７】
そして、リング状の配管取り出し口１９内に本体１１の配管を通すことにより配管を外部に取り出すことができる。
【００５８】
図５に示すように、本体１１の遮蔽板２１と底板３４間に配管接続空間３６が形成される。この配管接続空間３６に少なくとも熱媒体配管を配置する。この配管接続空間３６を利用することにより、配管の施工や本体１１の電気配線工事を底板３４を取り外すだけで行うことができる。
【００５９】
なお、本体１１を外壁に取り付ける場合は、固定板１２に配管挿通用の穴を空けて、配管をその穴に通して壁空間内に通すこともできる。この場合は左右のいずれかにおける配管取り出し口１９が不要になり、配管を完全に外部から隠蔽させることができる。
【００６０】
図６（ａ）は本体１１を天井裏に設置する場合の設置金具を示す。設置金具３７は断面コ字型のベース部３７１に天吊り用の全ネジ棒を挿通する穴３７２を形成し形成されている。
【００６１】
図６（ｂ）は、この設置金具３７を使用し、天井裏にたる木をはわせて本体１１を天井裏に設置する場合の取り付け方法を説明する図である。設置金具３７の舌部３７３で固定板１２にネジ止め等により固定し、設置金具３７のベース部３７１のコ字型空間にたる木３８をはめ込みネジで固定する。この設置金具３７を固定板１２の四隅近辺に４箇所設けることにより２本のたる木に沿わせて固定板１２を確実に固定することができる。この固定板１２に後述する図２に示す方法で本体１１を取り付けることにより天井裏設置を簡単に行うことができる。詳細は後述する。
【００６２】
なお、本発明の実施の形態では、天井裏設置方法について説明したが、設置金具３７を使用せず、壁面用の固定板を用いれば、壁面に設置することも可能である。
【００６３】
図６（ｃ）はこの設置金具３７を使用し、天吊り用の全ネジ棒を使用して本体１１を天井裏に設置する場合の取り付け方法を説明する図である。設置金具３７のベース部３７１に形成した穴３７２に全ネジ棒４０を挿通し、設置金具３７のベース部３７１を挟んで上下をワッシャー４１を介してナット４２で締め付け固定する。この場合も、設置金具３７を固定板１２に４箇所または８箇所設けることにより４本または８本の全ネジ棒により固定板１２を確実に固定することができる。
【００６４】
このように、１つの設置金具３７で２通りの設置方法を実現することができる。
【００６５】
図２は固定板１２に本体１１を設置する方法を説明する図である。固定板１２の四辺には切り起こし部１２１、１２２、１２３、１２４が設けられ、その中の１つ、例えば切り起こし部１２１の２箇所に角穴部１２５、１２６を形成しておく。また、角穴部１２５、１２６に対向する辺の切り起こし部１２３の１箇所、好ましくは中央部にネジ穴Ａ１２７を形成する。
【００６６】
一方、本体１１には、角穴部１２５、１２６に対応する位置に爪部１１１を形成し、ネジ穴Ａ１２７に対応する位置にネジ穴Ｂ１１２を形成する。固定板１２の開口１２０にはダクトスペーサがはめ込まれて吹出ダクトおよび吸込ダクトと連通する開口が構成される。これらについての詳細は後述する。
【００６７】
本体１１を天井裏に設置する場合は、固定板１２は図６（ｂ）で説明したように、天井裏に平行に水平位置に設置されている。この状態の固定板１２上に本体１１を載せ、爪部１１１を固定板１２の角穴部１２５、１２６に挿入して仮止めする。次に、固定板１２のネジ穴Ａ１２７と本体１１のネジ穴Ｂ１１２を合わせ、ネジ４３で固定する。この結果、本体１１の爪部１１１と固定板１２の角穴部１２５、１２６の嵌合およびネジ１本で本体１１と固定板１２を固定することができるので、天井裏に登らずとも点検口から作業ができ、天井裏での作業性を大幅に向上させることができる。
【００６８】
なお、本発明の実施の形態では、角穴部を２つにしたが、２つに限らないことは言うまでもない。
【００６９】
図７（ａ）は固定板１２と吹出ダクト１３、吸込ダクト１４との連結部を示す拡大斜視図である。固定板１２には折り返し部１３１が形成され、この固定板折り返し部１３１の開口（図２の開口１２０参照）に図７（ｂ）に示すダクトスペーサ１３２がはめ込まれる。ダクトスペーサ１３２は固定板１２に当接する長方形状の枠部１３３と、この枠部１３３から延長し、吹出ダクト１３および吸込ダクト１４を挟持するためのリング状部１３４、１３５からなる。ダクトスペーサ１３２のリング状部１３４、１３５の周囲には、エプトシーラ（ゴム材）によるシール材１３６が貼り付けられている。
【００７０】
図７（ｃ）に示すように、固定板１２の折り返し部１３１内にダクトスペーサ１３２をはめ込んで固定し、ダクトスペーサ１３２のリング状部１３４、１３５間、およびリング状部１３４、１３５と固定板折り返し部１３１間に吹出ダクト１３および吸込ダクト１４の先端部を挟み込んで挿入することにより、吹出ダクト１３および吸込ダクト１４は本体１１の送風口に接続される。
【００７１】
この構成により、吹出ダクト１３および吸込ダクト１４はシール材１３６で挟まれるので、固定板１２とのコーキングが不要となり、施工が非常に簡易化される。
【００７２】
また、固定板１２を壁や天井に取り付けて開口１２０に吹出ダクト１３および吸込ダクト１４を設置する際、絶縁を保つために通常固定板折り返し部１３１に木枠を設けているが、本発明においては、図８に示すように、絶縁物による樹脂枠４７を固定板折り返し部１３１にかぶせる。樹脂枠４７は木枠に比較して固定板１２に簡単に取り付けることができるので、工事が非常に簡単になるとともに、絶縁効果も十分に保たれる。
【００７３】
図４（ｂ）および図９に示すように、本体１１を構成する第１の部材４５の天面の背面板側には板金加工により形成した雨樋部７１が設けられ、雨樋部７１の両端と第１の部材４５の隙間にスペーサ７３をはめ込む。この連結は、図９（ｂ）に示すように樹脂製のスペーサ７３のはめ込み用のつめ７３１、７３２が雨樋部７１に嵌合することにより行われる。このスペーサを使用することにより、雨樋を屈曲加工させる板金加工が不要となる。雨樋部７１に溜まった雨水は、スペーサ７３を通って外装パネルの側壁に導かれて排出される。
【００７４】
図１０（ａ）はブレーカ２４部を底面側から見た詳細図である。ブレーカ２４は漏電時に電源のブレーカを遮断するもので、ブレーカカバー２３内に収納される。ブレーカカバー２３は底部が開口した箱で、内部に貫通穴はなく、側面に形成された耳部２３１でネジ２３２により遮蔽板２１に固定される。
【００７５】
この結果、ブレーカ２４はブレーカカバー２３で囲まれるので、ブレーカが豪雨時に雨水にあたったり、冬期に結露したりすることを防止できる。
【００７６】
また、熱媒体配管３０などがブレーカ２４に接触することを防止することができる。
【００７７】
また、ブレーカカバー２３は、内部にブレーカ２４を収納せずに電源コードと内部リード線を接続するコネクタを収納するコネクタカバーとして使用することもできる。この場合は、コネクタカバー内にネジボス２３５を設けておき、図１０（ｂ）に示すように、コネクタ８１に接続されたコードをコード止め具８２に通してこのコード止め具８２をネジボス２３５にネジ止めする。
【００７８】
これにより、コネクタ８１が落下して底板３４に溜まった水滴に触れることを防ぐことができるので、絶縁不良を防止することができる。
【００７９】
図１１は底板３４、第１の部材４５などを含む本体の外装パネル９０１と固定板１２の取り付け部の詳細図である。熱交換器および送風機を支持するための内部フレーム９０２と外装パネル９０１間に隙間９０３を設け、この隙間９０３内に固定板１２の切り起こし部１２１、１２２、１２３、１２４を挿入して固定する。
【００８０】
これにより、固定板１２を含む本体構成部品がすべて外装パネル９０１内に収納されるので、外観の美観に優れ、また、本体１１を屋外に設置した場合に雨水を侵入しにくくすることができる。
【００８１】
図１２は内部フレーム９０２に設けた樹脂一体構造のドレンパン１０１を示す。ドレンパン１０１は送風ダクト１３および吸込みダクト１４を通す部分に形成された開口部１０１１を有する。そして、開口部１０１１を囲む位置に第１の連続凸部１０１２が形成されている。また、ドレンパン１０１の周辺部にも第２の連続凸部１０１３が形成されている。
【００８２】
浴室乾燥機を天井裏に設置した場合、浴室内から暖かい湿った空気が開口部１０１１の吸込みダクト１４により本体１１内に取り込まれる。このとき、冬期など天井裏の温度が低い場合、取り込まれた空気中の水分が水滴になり本体１１の種々の部品に付着し下方に落ちる。ドレンパン１０１はこの水滴を溜める作用を有する。溜まった水滴は、第１の連続凸部１０１２に遮られて開口部１０１１内に侵入することはなく、また第２の連続凸部１０１３によりドレンパン１０１からこぼれることもない。浴室乾燥機の運転が終了すると、ドレンパン１０１に溜まった水滴は自然蒸発して翌日の使用時までには空になる。したがって、天井裏設置時における浴室からの湿気に起因する水滴から天井裏壁面や本体１１を保護することができる。
【００８３】
また、ドレンパンは樹脂一体構造であるので、部品点数を削減することができる。
【００８４】
図１３（ａ）は浴室側のグリルの内側を示す斜視図である。グリル１５の内側の面の吸込口側には空気中の塵埃を吸着させるフィルター１５２が設けられる。
【００８５】
このフィルター１５２は図１３（ｂ）に示すように、フィルター枠１１２１内に着脱自在に収められている。フィルター枠１１２１の側面には突起１１２２が形成され、この突起１１２２をグリル１５に設けられた弾性を有するリブ１１１１に形成された穴１１１２内にはめ込むことによりフィルター１５２はグリル１５に固定される。したがって、グリル１５をはずすことによりフィルター１５２も一体になって取り外すことができるので、フィルター１５２の清掃や丸洗い、交換などのメンテナンス作業を手元で行うことができる。
【００８６】
図１４（ａ）は、浴室の壁面や天井面にグリル１５を取り付けるグリル取り付け板１５３の裏面図である。グリル取り付け板１５３は取り付け用のネジ穴１１３１にネジを通して浴室の壁面や天井面に取り付けられる。グリル１５はグリル取り付け板１５３に着脱自在に取り付けられる。
【００８７】
グリル取り付け板１５３の取り付け面側には、その周辺部の取り付け用のネジ穴１１３１より内側に連続して一周する溝１１３２が形成されている。この溝１１３２内に全周にわたってコーキング材１５７を充填して、図１４（ｂ）に示すように浴室の壁面や天井面１２１にグリル取り付け板１５３をネジ止めして固定すると、グリル取り付け板１５３と浴室の壁面や天井面１２１との間に全周に渡ってコーキング材１５７がめぐらされ、しかも取り付けネジ穴１１３１はコーキング材１５７で囲まれる空間の外側に位置するので、浴室内の空間と吹出ダクト１３、吸込ダクト１４を介した天井裏や壁面裏側の空間がコーキング材１５７で完全に遮断され、浴室内の湿気や水が天井裏や壁面裏側の空間に漏れることがない。
【００８８】
図１５はグリル１５の風向ルーバー１５６の詳細図である。風向ルーバー１５６の長さは、デザイン上の関係から通常床面に平行にしたときにその先端がグリル１５の前面壁外面１１４１に一致するように形成される。しかし、グリル１５は通常壁面の高所に取り付けられるので、風向ルーバー１５６を下向きに向けることが多い。浴室乾燥機から送風される風は温風なので、上記構成の風向ルーバー１５６では温風が下方に向かわずに上方に向かってしまう。
【００８９】
本発明においては、これを避けるために、風向ルーバー１５６の長さを風向ルーバー１５６を下向きにしたときの先端がグリル１５の前面壁１５４の前面壁外面１１４１に一致するように形成する。これはグリルの構成にもよるが、従来の風向ルーバー１５６の長さより約３ｍｍ程度長くすればよい。
【００９０】
この構成によれば、温風は風向ルーバー１５６の方向に沿って下方に向かい、床面に温風が到達しやすくなる。
【００９１】
【発明の効果】
以上のように、本発明によれば、浴室の側壁および天井裏のいずれにも設置可能であるとともに、ジョイント手段を回動させ、第２の部材と第３の部材を結合させるように底板を左右反転して取り付けるだけで、熱媒体配管を本体のいずれの方向にも取り出すことができるので、取り付け工事も極めて簡単な浴室乾燥機を提供することができる。
【図面の簡単な説明】
【図１】本発明の浴室乾燥機の全体構成を示す斜視図
【図２】同浴室乾燥機の固定板の設置方法を示す斜視図
【図３】（ａ）同浴室乾燥機の本体を底面側から見た斜視図
（ｂ）同浴室乾燥機のジョイント手段の拡大斜視図
（ｃ）同浴室乾燥機のジョイント部の結合状態を示す断面図
【図４】（ａ）同浴室乾燥機の本体の配管取り出し口の構成を示す斜視図
（ｂ）同浴室乾燥機の第１、第２、第３の部材の構成を示す斜視図
（ｃ）同浴室乾燥機の底板の構成を示す斜視図
【図５】同浴室乾燥機の遮蔽板と底板の間の配管接続空間を示す本体を底面側から見た斜視図
【図６】（ａ）同浴室乾燥機の設置金具の斜視図
（ｂ）同浴室乾燥機の天井裏にたる木をはわせて本体を天井裏に設置する場合の斜視図
（ｃ）同浴室乾燥機の天吊り用のネジ棒を使用して本体を天井裏に設置する場合の斜視図
【図７】（ａ）同浴室乾燥機の固定板と吹出ダクト、吸込ダクトとの連結状態を示す拡大斜視図
（ｂ）同浴室乾燥機のダクトスペーサを示す斜視図
（ｃ）同浴室乾燥機の固定板とダクトの連結状態を示す断面側面図
【図８】同浴室乾燥機の固定板と絶縁物による樹脂枠の固定を示す斜視図
【図９】（ａ）同浴室乾燥機の雨樋部にスペーサを取り付けた状態を示す斜視図
（ｂ）同浴室乾燥機の雨樋部、スペーサ、つめの関係を示す断面図
（ｃ）同浴室乾燥機の樹脂製スペーサの斜視図
【図１０】（ａ）同浴室乾燥機のブレーカ部を底面側から見た斜視図
（ｂ）同浴室乾燥機のブレーカカバーをコネクタカバーとして使用した状態を示す断面側面図
【図１１】同浴室乾燥機の外装パネルと固定板の取り付け部の詳細を示す断面側面図
【図１２】（ａ）同浴室乾燥機の内部フレーム内に構成されたドレンパンを底面側から見た断面図
（ｂ）同浴室乾燥機の第１、第２の連続凸部を示す内部フレームのＡ−Ａ断面図
【図１３】（ａ）同浴室乾燥機のグリルの内側を示す斜視図
（ｂ）同浴室乾燥機のフィルターとフィルター枠の取り付け状態を示す斜視図
【図１４】（ａ）同浴室乾燥機のグリル取り付け板にグリルを取り付けたときの状態を示す裏面図
（ｂ）同浴室乾燥機のグリルを天井面に取り付けたときの状態を示す断面側面図
【図１５】（ａ）同浴室乾燥機のグリルの風向ルーバーを示す斜視図
（ｂ）同浴室乾燥機のグリルの風向ルーバーと前面壁の関係を示す略線断面図
【符号の説明】
１１      本体
１２      固定板
１３      吹出ダクト
１４      吸込ダクト
１５      グリル
１６      吹出口
１７      吸込口
１９      配管取り出し口
２１      遮蔽板
２２      送風機
２３      ブレーカカバー
２４      ブレーカ
２５      熱交換器
３１      切欠
３２      第２の部材
３４      底板
３６      配管接続空間
３７      設置金具
３８      たる木
４０      全ネジ棒
４１      ワッシャー
４２      ナット
４３      ネジ
４５      第１の部材
４６      背面板
４７      樹脂枠
７１      雨樋部
７３      スペーサ
８１      コネクタ
１０１    ドレンパン
１１１    爪部
１１２    ネジ穴Ｂ
１２０    開口
１２１    切り起こし部
１２２    切り起こし部
１２３    切り起こし部
１２４    切り起こし部
１２５    角穴部
１２６    角穴部
１２７    ネジ穴Ａ
１３１    固定板折り返し部
１３２    ダクトスペーサ
１３３    枠部
１３４    リング状部
１３５    リング状部
１３６    シール材
１５２    フィルター
１５３    グリル取り付け板
１５４    前面壁
１５６    風向ルーバー
１５７    コーキング材
２３５    ネジボス
２８１    オス部材
２８２    メス部材
２８３    Ｏリング
３７１    ベース部
３７２    穴
３７３    舌部
３４２    切欠
３４３    第３の部材
９０１    外装パネル
９０２    内部フレーム
９０３    隙間
１０１１  開口部
１０１２  第１の連続凸部
１０１３  第２の連続凸部
１１２１  フィルター枠
１１３１  ネジ穴
１１３２  溝
【図１】
0003860401.tif 000002
【図２】
0003860401.tif 000003
【図３】
0003860401.tif 000004
【図４】
0003860401.tif 000005
【図５】
0003860401.tif 000006
【図６】
0003860401.tif 000007
【図７】
0003860401.tif 000008
【図８】
0003860401.tif 000009
【図９】
0003860401.tif 000010
【図１０】
0003860401.tif 000011
【図１１】
0003860401.tif 000012
【図１２】
0003860401.tif 000013
【図１３】
0003860401.tif 000014
【図１４】
0003860401.tif 000015
【図１５】
0003860401.tif 000016